(57)【要約】【課題】板状建築材と仕上げ材との間の空気層の気密性を確保すること、および、空気層による断熱性能の向上を図ることの可能な建物の気密断熱構造を提供する。【解決手段】凹凸を有した断面波形に形成されて建物の天井板や壁板や床板を形成した板状建築材（デッキプレート１１）と、板状建築材の一方の面に沿って設けられた仕上げ材（断熱材１２）と、仕上げ材と板状建築材の一方の面に形成された凹部の内面との間で形成された空気層１４と、空気層と板状建築材の他方の面とに跨る隙間３０と、板状建築材の他方の面及び一方の面のうちの１つ以上の面に設けられて隙間を塞ぐ断熱材層１５とを備え、断熱材層１５が、断熱材の吹き付け又は断熱材の塗布によって形成されたことを特徴とする。【選択図】図１
2008208672.tif 000002
【特許請求の範囲】
【請求項１】
凹凸を有した断面波形に形成されて建物の天井板や壁板や床板を形成した板状建築材と、板状建築材の一方の面に沿って設けられた仕上げ材と、仕上げ材と板状建築材の一方の面に形成された凹部の内面との間で形成された空気層と、空気層と板状建築材の他方の面とに跨る隙間と、板状建築材の他方の面及び一方の面のうちの１つ以上の面に設けられて隙間を塞ぐ断熱材層とを備え、断熱材層が、断熱材の吹き付け又は断熱材の塗布によって形成されたことを特徴とする建物の気密断熱構造。
【請求項２】
板状建築材が建物の天井板を形成し、断熱材層が天井板の室内側の面と壁面とに跨って設けられたことを特徴とする請求項１に記載の建物の気密断熱構造。
【発明の詳細な説明】
【技術分野】
【０００１】
本発明は、板状建築材と仕上げ材との間に形成される空気層の気密性を確保できる建物の気密断熱構造に関する。
【背景技術】
【０００２】
下地板の上面及び下面に断熱層を設けた天井構造を備えた木造住宅建物が知られている（例えば、特許文献１参照）。この建物によれば、気密性の良い断熱構造が得られる。しかしながら、上記建物の断熱構造では、下地板の上面と下面とに設けられた２つの断熱層を単純に足した断熱性能しか得られない。
一方、凹凸を有した断面波形に形成された板状建築材としてのデッキプレートの形状、構造を利用した断熱空間を備えた床構造が知られている（例えば、特許文献２参照）。しかしながら、この構造は、デッキプレートの上に仕上げ材としてのコンクリートを打設した構造であるため、重量が嵩むという課題があった。また、コンクリート、及び、断熱空間を形成するための蓋板が必要なため、コストが嵩むという課題もあった。
そこで、軽量化及びコストの削減を図るため、デッキプレートの上に仕上げ材としての板状の断熱プレート部を設けることによって、デッキプレートと断熱プレート部との間に空気層を形成し、かつ、デッキプレートの裏面に、シート状ガラス繊維のような断熱材を貼着した構造が知られている（例えば、特許文献３参照）。
【特許文献１】特開平９−４９２７２号公報
【特許文献２】特開２００４−３３２２４４号公報
【特許文献３】特開２０００−１２９８１９号公報
【発明の開示】
【発明が解決しようとする課題】
【０００３】
一般に、天井構造では、天井下地部材や設備用配管などを支持するための吊りボルトが設けられる。特許文献３のように、天井板がデッキプレートにより形成された場合、上記吊りボルトは、デッキプレートの上下面に貫通する貫通孔に貫通されてナットで締結されるため、貫通孔と吊りボルトとの間に隙間が生じる。特許文献３では、デッキプレートの裏面にシート状の断熱材を貼着した構造であるため、上記貫通孔と吊りボルトとの間に生じる隙間や互いに隣接するデッキプレート間の隙間を塞ぐことが困難である。このため、特許文献３の構造では、デッキプレートのような板状建築材と断熱プレート部のような仕上げ材との間の空気層の気密性を確保すること、および、この空間による断熱性能の向上を図ることが困難であった。
本発明は上記課題を解消するためになされたもので、板状建築材と仕上げ材との間の空気層の気密性を確保すること、および、空気層による断熱性能の向上を図ることの可能な建物の気密断熱構造を提供する。
【課題を解決するための手段】
【０００４】
本発明の建物の気密断熱構造は、凹凸を有した断面波形に形成されて建物の天井板や壁板や床板を形成した板状建築材と、板状建築材の一方の面に沿って設けられた仕上げ材と、仕上げ材と板状建築材の一方の面に形成された凹部の内面との間で形成された空気層と、空気層と板状建築材の他方の面とに跨る隙間と、板状建築材の他方の面及び一方の面のうちの１つ以上の面に設けられて隙間を塞ぐ断熱材層とを備え、断熱材層が、断熱材の吹き付け又は断熱材の塗布によって形成されたことを特徴とする。
板状建築材が建物の天井板を形成し、断熱材層が天井板の室内側の面と壁面とに跨って設けられたことも特徴とする。
【発明の効果】
【０００５】
本発明の建物の気密断熱構造によれば、空気層と板状建築材の他方の面とに跨る隙間を塞ぐ断熱材層を備え、断熱材層が、断熱材の吹き付け又は断熱材の塗布によって形成されたことによって、隙間を塞ぐ断熱材層を容易に形成できて、板状建築材と仕上げ材との間の空気層の気密性を確保でき、空気層による断熱性能の向上を図ることができる。
板状建築材が建物の天井板を形成し、断熱材層が天井板の室内側の面と壁面とに跨って設けられたので、断熱材層により、天井板の室内側の面と壁面との境界部分の気密性を向上できる。
【発明を実施するための最良の形態】
【０００６】
最良の形態１
図１を参照し、建物の気密断熱構造としての天井構造を説明する。
天井１０は、板状建築材としてのデッキプレート１１、仕上げ材としての断熱材１２、防水シート１３、空気層１４、断熱材層１５、隙間３０を備える。
【０００７】
デッキプレート１１は、凹凸を有した断面波形形状で図１の紙面と直交する方向に長尺な鋼板により形成される。このデッキプレート１１が図外の梁間に複数敷設されて天井板１６を形成する。断熱材１２は、発泡ウレタンやロックウールによりシート状又はボード状に形成されたものである。この断熱材１２が天井板１６の室外側となる外面１７（デッキプレート１１の一方の面）に沿って設けられることで、断熱材１２と天井板１６の外面１７の凹部面１８との間に空気層１４が形成される。防水シート１３は、断熱材１２の外表面１９に敷設される。
【０００８】
デッキプレート１１には、図外の天井下地部材（例えば野縁受けを吊るすハンガー）や設備用配管などを支持するための吊りボルト３１が取付けられる。吊りボルト３１は、デッキプレート１１の上下面、即ち、外面１７の凹部面１８と内面２０とに跨って貫通する貫通孔３２に貫通されて座金３４とナット３３とによる締結によってデッキプレート１１に固定される。
【０００９】
隙間３０は、デッキプレート１１に固定された吊りボルト３１と貫通孔３２との間や、互いに隣接するデッキプレート１１とデッキプレート１１との間の空間により形成されて、空気層１４と天井板１６の室内側となる内面２０（デッキプレート１１の他方の面）とに跨る隙間である。尚、互いに隣接するデッキプレート１１の端部とデッキプレート１１の端部との結合は、図１に示すように、互いに上下に重ね合わされたり、図示しないが、所謂はぜ折のように互いに係合される。
【００１０】
断熱材層１５は、ウレタンフォームやロックウールのような断熱材により形成される。つまり、吊りボルト３１がデッキプレート１１に取付けられた後の天井板１６の室内側となる内面２０に、ウレタンフォームやロックウールのような断熱材が、機械や刷毛などによって、吹き付けられたり、塗布されたりすることによって、断熱材層１５が形成される。特に、隙間３０を塞ぐように、断熱材を吹き付けたり塗布したりすることによって、断熱材層１５を形成する。
【００１１】
最良の形態１によれば、断熱材が隙間３０を塞いで乾燥（固化）することによって、これら隙間３０を塞ぐ断熱材層１５が形成されるので、隙間３０を塞ぐ断熱材層１５によって、板状建築材としてのデッキプレート１１と仕上げ材としての断熱材１２との間の空気層１４の気密性を確保できるので、このような空気層１４を備えたことによって建物１の断熱性能を向上できる。
【００１２】
即ち、このように気密性に優れた空気層１４を備えたことで、天井板１６の外側の断熱材１２と天井板１６の内側の断熱材層１５とによる単純和以上の熱断熱抵抗を備えた天井１０となる。換言すれば、断熱材１２と空気層１４と断熱材層１５とを足した熱貫流抵抗が得られ、優れた断熱性能を備えた天井１０を得ることができる。
【００１３】
また、断熱材層１５が、液状断熱材の吹き付けや、塗布によって形成されたので、隙間３０を塞ぐ断熱材層１５を容易に形成できる。従って、デッキプレート１１と断熱材１２との間の空気層１４の気密性を確保できて、建物１の断熱性能を向上できる天井構造を容易に形成できる。
【００１４】
最良の形態２
図１に示すように、断熱材層１５が天井板１６の室内側の内面２０と壁面２２とに渡って設けられた構成とすれば、断熱材層１５が、天井板１６の内面２０と壁２１の壁面２２との境界部分の気密性を向上させるので、気密性に優れた建物１を得ることができる。
【００１５】
最良の形態１の天井構造や最良の形態２の壁構造は、図２に示すクリーンルーム４０を備えた建物１に採用した場合に効果的である。
例えば、半導体製造室や手術室のようなクリーンルーム４０と天井１０との間の空間４１内の圧力状態は負圧に保たれる場合がある。このようなクリーンルーム４０を備えた建物１の天井構造として特許文献３に示した天井構造を採用した場合、建物建設の際にデッキプレートと断熱プレート部との間に形成された空気層内の溜まった塵やごみが、上述した隙間３０を経由して空間４１に浸入し、クリーンルーム４０内に浸入する。
一方、クリーンルーム４０を備えた建物１の天井構造や壁構造として最良の形態１の天井構造や最良の形態２の壁構造を採用すれば、空気層１４内の溜まった塵やごみがクリーンルーム４０と天井１０との間の空間４１内に侵入することを防止できるので、クリーンルーム４０内の空気の清浄度を保てる。
【産業上の利用可能性】
【００１６】
本発明の建物の気密断熱構造は、上述したような隙間３０に相当する隙間を備えた壁構造や床構造に採用した場合にも効果的である。
断熱材層１５は、板状建築材の他方の面及び一方の面のうちの１つ以上の面に設けられればよい。
仕上げ材は、断熱材１２でなくともよく、板状建築材との間で空気層１４を形成するものであればよい。
防水シート１３は、仕上げ材が建物１の外に面していなければ不要である。
【図面の簡単な説明】
【００１７】
【図１】建物の気密断熱構造としての天井構造を示す図（最良の形態１；２）。
【図２】クリーンルームを備えた建物を示す図（最良の形態１；２）。
【符号の説明】
【００１８】
１  建物、１０  天井、１１  デッキプレート（板状建築材）、
１２  断熱材（仕上げ材）、１３  防水シート、１４  空気層、１５  断熱材層、
１６  天井板、１７  天井板の外面（板状建築材の一方の面）、
２０  天井板の内面（板状建築材の他方の面）、２１  壁面、３０  隙間。
【図１】
2008208672.tif 000003
【図２】
2008208672.tif 000004